(57)【要約】      （修正有）【課題】より広範囲に亘りオゾンを拡散させることができるオゾン発生機能付きの扇風機を提供する。【解決手段】首振り機能を有する家庭用扇風機１は、ベース３内にオゾン発生器２を内蔵させ、オゾン発生器２から発生したオゾンを扇風機の羽根７の後方に設けた噴射口１２から羽根７に向けて噴射させる。オゾン発生器２から発生したオゾンを中空の支柱４内に挿通したシリコンチューブ１１を通して支柱４の上方に設けた噴射口１２を介して扇風機の羽根７の後方から羽根７に向けて噴射させる。オゾン発生器２をベース３内に複数配し、複数のオゾン発生器２から発生したオゾンを合流させてシリコンチューブ１１に導入する。【選択図】図１
0003229967.tif 000002
【実用新案登録請求の範囲】
【請求項１】
首振り機能を有する家庭用扇風機にオゾン発生器を内蔵させ、該オゾン発生器から発生したオゾンを扇風機の羽根の後方から該羽根に向けて噴射させることを特徴とするオゾン発生機能付き扇風機。
【請求項２】
首振り機能を有する家庭用扇風機のベース内にオゾン発生器を内蔵し、該オゾン発生器から発生したオゾンを前記ベースに立設された中空の支柱内に挿通したシリコンチューブを通して前記支柱の上方に設けた扇風機の羽根の後方から該羽根に向けて噴射させることを特徴とするオゾン発生機能付き扇風機。
【請求項３】
オゾン発生器をベース内に複数配し、該複数のオゾン発生器から発生したオゾンを合流させてシリコンチューブに導入させるようにした請求項２に記載のオゾン発生機能付き扇風機。
【請求項４】
オゾン発生器から発生してオゾンに混入する窒素酸化物の発生量を少なく制御した請求項１〜３のいずれか１項に記載のオゾン発生機能付き扇風機。
【考案の詳細な説明】
【技術分野】
【０００１】
本考案は、オゾン発生器を備えてなるオゾン発生機能付き扇風機に関する。
【背景技術】
【０００２】
従来、オゾン発生器により発生するオゾンを拡散するための送風機としてボックス型の扇風機を使用し、ボックス扇風機の羽根の回転によってオゾンを拡散させるオゾン発生器ファンがある（特許文献１）。
【０００３】
このものは、オゾンを拡散させるためのファンとして、ボックス型の扇風機を使用しており、樹脂製の風向ルーバーを備えているが、このルーバーでは上下方向の調整はできるとしても、左右方向の風向調整はできないものであった。
【先行技術文献】
【特許文献】
【０００４】
【特許文献１】特開２００４−４１３５８号公報
【考案の概要】
【考案が解決しようとする課題】
【０００５】
そこで、本考案は、より広範囲に亘りオゾンを拡散させることができるオゾン発生機能付きの扇風機を提供することを目的とする。
【課題を解決するための手段】
【０００６】
上記課題を解決するために、請求項１に係るオゾン発生機能付き扇風機は、首振り機能を有する家庭用扇風機にオゾン発生器を内蔵させ、該オゾン発生器から発生したオゾンを扇風機の羽根の後方から該羽根に向けて噴射させること、を特徴としている。
請求項２に係る考案は、首振り機能を有する家庭用扇風機のベース内にオゾン発生器を内蔵し、該オゾン発生器から発生したオゾンを前記ベースに立設された中空の支柱内に挿通したシリコンチューブを通して前記支柱の上方に設けた扇風機の羽根の後方から該羽根に向けて噴射させること、を特徴としている。
請求項３に係る考案は、オゾン発生器をベース内に複数配し、該複数のオゾン発生器から発生したオゾンを合流させてシリコンチューブに導入するようにしたものである。
請求項４に係る考案は、オゾン発生器から発生してオゾンに混入する窒素酸化物の発生量を少なく制御したものである。
【考案の効果】
【０００７】
請求項１に係る考案によれば、首振り機能を有する家庭用扇風機にオゾン発生器を内蔵させ、該オゾン発生器から発生したオゾンを扇風機の羽根の後方から該羽根に向けて噴射させるので、首振り機能により、左右方向にも広くオゾンを拡散させることができる。
請求項２に係る考案によれば、首振り機能を有する家庭用扇風機のベース内にオゾン発生器を内蔵し、該オゾン発生器から発生したオゾンを前記ベースに立設された中空の支柱内に挿通したシリコンチューブを通して前記支柱の上方に設けた扇風機の羽根の後方から該羽根に向けて噴射させるので、首振り機能により、左右方向にも広くオゾンを拡散させることができる。シリコンチューブはオゾンに対する耐性を有し、可撓性を有するため、首振りにも追随できる。
請求項３に係る考案によれば、オゾン発生器をベース内に複数配し、該複数のオゾン発生器から発生したオゾンを合流させてシリコンチューブに導入するようにしたので、より多くのオゾンを発生させることができ、より大きな殺菌、除菌、消臭等の効能を期待できる。
請求項４に係る考案によれば、オゾン発生器から発生してオゾンに混入する窒素酸化物の発生量を少なく制御したので、有害な窒素酸化物による悪影響を低く抑えることができる。
【図面の簡単な説明】
【０００８】
【図１】実施例によるオゾン発生機能付き扇風機の側面図である。
【図２】図１の正面図である。
【図３】裏蓋を外した状態の底面図である。
【考案を実施するための形態】
【０００９】
以下、本考案の実施例を図面に基づいて具体的に説明する。本考案に係る扇風機は、首振り機能を備えた家庭用扇風機１（リビング扇風機）に、オゾン発生器２を内蔵させたものである。
【００１０】
首振り機能を備えた家庭用扇風機１は、図１，２に示すように、ベース３に中空状の支柱４を立設し、該支柱４の上方にモータ部５を設け、モータ部５内のモータの回転軸６に羽根７を取り付け、羽根７の前後に安全カバー８ａ，８ｂを取り付けたものである。モータ部５内には羽根回転用のモータの他に図示しない首振り用ギアを備えている。
【００１１】
そして、ベース３内にオゾン発生器２とエアポンプ９からなるオゾン発生器ユニット１０を内蔵している。オゾン発生器２には、エアポンプ９が接続され、また発生したオゾンを扇風機の羽根７の後方まで送るシリコンチューブ１１を接続してある。このシリコンチューブ１１は中空状の支柱４内に挿通され、支柱４上方に設けた扇風機の羽根７の後方から該羽根７に向けて噴射口１２を設けてある。
【００１２】
オゾン発生器２では、エアポンプ９から送られてきた空気に高圧を印加して無声放電又は沿面放電させることにより、空気中の酸素をオゾンに変化させ、オゾンを発生させる。このオゾンはシリコンチューブ１１に導入され、その噴射口１２から羽根７の後方に向けて噴射される。噴射されたオゾンは扇風機の羽根７の回転により広く拡散されることになる。
このとき、扇風機１には首振り機能を備えているので、左右方向にも拡散され、部屋全体に広くオゾンを拡散させることができる。これにより、オゾンによる殺菌、除菌、消臭等の効能を発揮させることができる。
【００１３】
図３においては、オゾン発生器２（オゾン発生器ユニット１０）を１箇所に設けたものを示したが、図３の仮想線に示すように、２箇所（複数箇所）に設け、２箇所から発生したオゾンを合流させてシリコンチューブ１１に導入するようにすることもできる。このようにすれば、より多くのオゾンを発生させ、より多くのオゾンを拡散させることができる。オゾンによる殺菌、除菌、消臭等の効能をより大きなものとすることができる。
【００１４】
オゾン発生器２は、印加電圧を高くし過ぎると有害な窒素酸化物（ＮＯｘ）の混入量も増えるので、窒素酸化物の発生量を少なく抑えつつオゾンの発生量ができるだけ多くなるように制御する。例えば、印加電圧を１万ボルト以下に制御するなどが考えられる。
【００１５】
オゾンを導入するチューブはシリコンチューブ１１を用いるのが好ましい。シリコンチューブ１１はオゾンに対して耐性があり、劣化し難く、好ましい。また、可撓性を有し、扇風機１の首振りにも追随して動くことができるので好ましい。
【００１６】
オゾン発生器２（オゾン発生器ユニット１０）の動作は扇風機１のオン・オフに連動させるようにする。オゾン発生器２（オゾン発生器ユニット１０）用のスイッチを別途設ける必要はない。構造を簡単にしてコスト削減に資する。
なお、扇風機１のオン・オフ、風量調整の操作等は、押しボタン等の手動式でもよく、リモコン操作により行うようにしてもよい。
図中、符号１３は電源コード、符号１４は制御盤である。
【００１７】
上記においては扇風機について述べてきたが、サーキュレーターでもよい。本考案における扇風機には、サーキュレーターも含まれるものとする。
【符号の説明】
【００１８】
１  首振り機能付き扇風機
２  オゾン発生器
３  ベース
４  支柱
５  モータ部
６  回転軸
７  羽根
８ａ，８ｂ  安全カバー
９  エアポンプ
１０  オゾン発生器ユニット
１１  シリコンチューブ
１２  噴射口
【図１】
0003229967.tif 000003
【図２】
0003229967.tif 000004
【図３】
0003229967.tif 000005
【手続補正書】
【提出日】令和2年10月19日(2020.10.19)
【手続補正１】
【補正対象書類名】実用新案登録請求の範囲
【補正対象項目名】全文
【補正方法】変更
【補正の内容】
【実用新案登録請求の範囲】
【請求項１】
首振り機能を有する家庭用扇風機のベース内にオゾン発生器を内蔵し、該オゾン発生器から発生したオゾンを前記ベースに立設された中空の支柱内に挿通したシリコンチューブを通して前記支柱の上方に設けた扇風機の羽根の後方から該羽根に向けて噴射させることを特徴とするオゾン発生機能付き扇風機。
【請求項２】
オゾン発生器をベース内に複数配し、該複数のオゾン発生器から発生したオゾンを合流させてシリコンチューブに導入させるようにした請求項１に記載のオゾン発生機能付き扇風機。
【請求項３】
オゾン発生器から発生してオゾンに混入する窒素酸化物の発生量を少なく制御した請求項１又は２に記載のオゾン発生機能付き扇風機。
【手続補正２】
【補正対象書類名】明細書
【補正対象項目名】０００６
【補正方法】変更
【補正の内容】
【０００６】
上記課題を解決するために、請求項１に係るオゾン発生機能付き扇風機は、首振り機能を有する家庭用扇風機のベース内にオゾン発生器を内蔵し、該オゾン発生器から発生したオゾンを前記ベースに立設された中空の支柱内に挿通したシリコンチューブを通して前記支柱の上方に設けた扇風機の羽根の後方から該羽根に向けて噴射させること、を特徴としている。
請求項２に係る考案は、オゾン発生器をベース内に複数配し、該複数のオゾン発生器から発生したオゾンを合流させてシリコンチューブに導入するようにしたものである。
請求項３に係る考案は、オゾン発生器から発生してオゾンに混入する窒素酸化物の発生量を少なく制御したものである。
【手続補正３】
【補正対象書類名】明細書
【補正対象項目名】０００７
【補正方法】変更
【補正の内容】
【０００７】
請求項１に係る考案によれば、首振り機能を有する家庭用扇風機のベース内にオゾン発生器を内蔵し、該オゾン発生器から発生したオゾンを前記ベースに立設された中空の支柱内に挿通したシリコンチューブを通して前記支柱の上方に設けた扇風機の羽根の後方から該羽根に向けて噴射させるので、首振り機能により、左右方向にも広くオゾンを拡散させることができる。シリコンチューブはオゾンに対する耐性を有し、可撓性を有するため、首振りにも追随できる。
請求項２に係る考案によれば、オゾン発生器をベース内に複数配し、該複数のオゾン発生器から発生したオゾンを合流させてシリコンチューブに導入するようにしたので、より多くのオゾンを発生させることができ、より大きな殺菌、除菌、消臭等の効能を期待できる。
請求項３に係る考案によれば、オゾン発生器から発生してオゾンに混入する窒素酸化物の発生量を少なく制御したので、有害な窒素酸化物による悪影響を低く抑えることができる。